(57)【要約】      （修正有）【課題】手のひら拡大部、広告スペースとして、またはスポーツイベント中に携行されるものとしてのフォームフィンガーを提供する。【解決手段】いっぱいに伸ばされた人さし指を有する手のひら２の形態を有するフォームフィンガー１の前側面４にまた任意選択で後側面５に、レンチキュラーフォイル６が取付けられ、レンチキュラーフォイル６は、例えば、接着される、縫われる、または溶接されることができる。下方エッジ７において、手が挿入されることができる開口８が形成され、開口８は、指１０および親指１１を有する手のひら９の形態を有する。手が開口８に挿入される場合、フォームフィンガー１は、いっぱいに伸ばされた指１０およびいっぱいに伸ばされた親指１１によって確実に保持されることができ、重量が軽いため、キャリアはぐらつかないことになり、フォームフィンガー１は、種々の方向に同様に回転または揺動されることができる。【選択図】図１
0003225190.tif 000002
【実用新案登録請求の範囲】
【請求項１】
特に、手のひら拡大部、広告スペース、またはスポーツイベント中に携行されるものとしてのフォームフィンガー（１，２０）において、互いに接続された少なくとも２つの側面（４，５，２１，２２）を備える、フォームフィンガー（１，２０）であって、
前記側面（４，５，２１，２２）の少なくとも一部分は、印刷されたレンチキュラーフォイル及び／または背後に画像を貼り付けられたレンチキュラーフォイル（６，２３）を備えることを特徴とする、フォームフィンガー（１，２０）。
【請求項２】
少なくとも１つの前記側面（４，５，２１，２２）はレンチキュラーフォイル（６，２３）からなること、または、少なくとも１つの前記側面（４，５，２１，２２）上で、レンチキュラーフォイル（６，２３）は固定されることを特徴とする、請求項１に記載のフォームフィンガー（１，２０）。
【請求項３】
前記側面（４，５，２１，２２）は、材料ボンド及び／またはフォームフィットによって互いに接続されることを特徴とする、請求項１または２に記載のフォームフィンガー（１，２０）。
【請求項４】
前記２つの側面（４，５，２１，２２）は、互いに、直接接着される、縫われる、または溶接されることを特徴とする、請求項１、２、または３に記載のフォームフィンガー（１，２０）。
【請求項５】
前記２つの側面（４，５，２１，２２）は、エッジストリップによって境界付けされることを特徴とする、請求項１から４のいずれか１項に記載のフォームフィンガー（１，２０）。
【請求項６】
前記エッジストリップによって、前記２つの側面（４，５，２１，２２）は、規定された距離に保持され、３次元形態をもたらすことを特徴とする、請求項１から５のいずれか１項に記載のフォームフィンガー（１，２０）。
【請求項７】
背後に画像を有する前記レンチキュラーフォイル（６，２３）は、前記レンチキュラーフォイル（６，２３）の後で、紙繊維及び／または織物様支持層を貼り合わされることを特徴とする、請求項１から６のいずれか１項に記載のフォームフィンガー（１，２０）。
【請求項８】
背後に画像を有する前記レンチキュラーフォイル（６，２３）のエッジは境界付けされることを特徴とする、請求項１から７のいずれか１項に記載のフォームフィンガー（１，２０）。
【請求項９】
前記レンチキュラーフォイル（６，２３）は、前記側面（４，５，２１，２２）上に接着される、アイロンがけされる、縫われる、または溶接されることを特徴とする、請求項１から８のいずれか１項に記載のフォームフィンガー（１，２０）。
【請求項１０】
手のためのハンドルまたは開口（８，２５）を備えることを特徴とする、請求項１から９のいずれか１項に記載のフォームフィンガー（１，２０）。
【請求項１１】
前記開口（８，２５）は、フルフィンガードグローブと同様に具現化されることを特徴とする、請求項１から１０のいずれか１項に記載のフォームフィンガー（１，２０）。
【請求項１２】
軟質であるが、寸法安定性があるように具現化されることを特徴とする、請求項１から１１のいずれか１項に記載のフォームフィンガー（１，２０）。
【請求項１３】
低重量を有することを特徴とする、請求項１から１２のいずれか１項に記載のフォームフィンガー（１，２０）。
【請求項１４】
「指」、いっぱいに伸ばされた親指（１１，２７）、またはヴァルカンの挨拶の手の形状を有することを特徴とする、請求項１から１３のいずれか１項に記載のフォームフィンガー（１，２０）。
【請求項１５】
クラブシンボルまたはクラブエンブレムの形態を有することを特徴とする、請求項１から１４のいずれか１項に記載のフォームフィンガー（１，２０）。
【考案の詳細な説明】
【技術分野】
【０００１】
本考案は、特に、手のひら拡大部、広告スペース、またはスポーツイベント中に携行されるものとしてのフォームフィンガーに関しており、フォームフィンガーは、互いに接続された少なくとも２つの側面を備える。
【背景技術】
【０００２】
フォームフィンガーは、長年にわたって知られており、例えば立てた人差し指を有するフォームまたは同様の材料からなる。フォームフィンガーは、ここで、手に持ってまたは腕に抱えて携行されることができる。フォームフィンガーは、特にスポーツイベント中にスポーツチームに対する親近感を表現するために、または例えば、政治の候補者に対する親近感を表現するために人気がある。フォームフィンガーは、もともと米国に由来し、フォームフィンガーは、スポーツスタジアムでまたは選挙前パーティーにおいて長年にわたって使用されてきた。フォームフィンガーは、Ｇｅｎｅｒａｌ  Ｆａｕｓｓｔ、米国高校教師によって１９７８年に考案された。フォームフィンガーは、Ｆａｕｓｓｔが１９７８年にコットンボウル最終戦（Ｃｏｔｔｏｎ  Ｂｏｗｌ  ｆｉｎａｌ）で始めてフォームフィンガーを販売した後、急速に成功した。知られているフォームフィンガーは、簡単なプリントを有し、簡単なプリントは、場所、スポーツイベント、または広告手段に対応するように適合される。今日依然として、フォームフィンガーは、スポーツイベントのために使用され、また、プリントを備える。
【考案の概要】
【考案が解決しようとする課題】
【０００３】
広告効果を上げるために、本考案の基礎にある目的は、特定の光学的要求を満たしかつ安価に製造されることができるフォームフィンガーを提供することである。
【課題を解決するための手段】
【０００４】
その目的を達成するために、本考案によれば、側面の少なくとも一部分は、印刷されたレンチキュラーフォイル及び／または背後に画像が貼り付けられているレンチキュラーフォイルを備える。更なる有利な開発は従属請求項から採用され得る。
【０００５】
少なくとも一方の側に、またそこで更に、側面の部分的エリア内のみに固定されることができるレンチキュラーフォイルを使用することによって、こうしたフォームフィンガーの刻印サイズを除いて、異なる画像が種々の観察角度から得られ、観察者の際立った注目を喚起する。レンチキュラーフォイルによって達成可能な光学効果は、例えば、３Ｄ効果、ピクチャーの深度画像、スムーズなアニメーションの描写を通したフリップ画像または変化する画像の表示からなる。ここで、述べた効果の組合せが、もちろん同様に可能である。例えば、３Ｄ効果を生成するために、ピクチャーが、シーナリー劇場の場合と全く同じように、個々の深度レベルにおいて作られ、これから、レンチキュラーフォイルの背後に配置される３次元画像が作成される。変化する画像の場合またはアニメーションの場合、対照的に、２つ以上の開始画像が、狭いストリップに分離され、狭いストリップは、レンチキュラーフォイルの後側に隣同士で交互に取付けられる。ここで、特別なソフトウェアによって製作される画像は、通常、レンチキュラーフォイルの後側に配設される。ここで、レンチキュラーフォイルの後側は、光学的に構造化されたフォイル側、すなわちレンズを備えるフォイル側から外方を向く側に対応する。光学効果の複雑さは、画像情報のための基礎として採取される画像であって、レンチキュラーフォイルの後側に印刷されるまたは貼り付けられる画像の数と共に増加する。例えば、２フェーズフリップ画像の場合、２つの画像の組合せで既に十分である。幾つかの画像を処理することによって、マルチフェーズまたは完全モーションシーケンス、しかし同様にズーミングまたはモーフィング効果が表示されることができる。表示は、ここでは、フリップブックの場合と全く同じように、複数の単一画像からセットアップされ、複数の単一画像は、本質的に、スムーズに互いに融合する。ここで、好ましくは、４つの画像を用いる４重アニメーションが使用される。印刷された画像及び／またはフォームフィンガー上で後に貼り付けられた画像を有するレンチキュラーフォイルを設計することによって、画像は特に光学的に強調され、したがって、いずれの場合も観察者の注目を集める。こうしたフォームフィンガーによって、キャリアは、一方で、設けられた手のひら拡大器によって注目を集めることができるが、フォームフィンガーは、こうして或る製品を推奨する広告スペースを同様に備える可能性があることを示すことができる。好ましくは、本考案の形態のフォームフィンガーは、スポーツイベント中に携行されて使用されるため、キャリアは、対応する画像によって、自分のお気に入りのクラブまたは自分のお気に入りのチーム、任意選択で同様にお気に入りのプレーヤーを推奨することができる。レンチキュラーフォイルの背後に位置する画像の変形は、ここでは任意であり、例えばブンデスリーガクラブのための通常のブンデスリーガゲーム中に、しかし同様にヨーロッパチャンピオンシップまたはワールドチャンピオンシップ中に目的に対応して適合されることができる。スキーレースまたはアスレチックスポーツ中等、他のスポーツイベント中にフォームフィンガーを使用して、特に崇拝されるアスリートにこうして敬意を表することが同様に可能である。
【０００６】
本考案の一態様において、フォームフィンガーの少なくとも１つの側面はレンチキュラーフォイルからなる、または、こうしたフォイルは側面に固定される。側面は、材料ボンドによって及び／またはフォームフィットを用いて互いに接続されることができ、２つの側面は、互いに、直接接着される、縫われる、または随意に溶接されることができる。
【０００７】
代替法として、２つの側面がエッジストリップによって境界付けされることが可能であり、エッジストリップは規定された距離に２つの側面を保持することができ、したがって、フォームフィンガーのための３次元形状が形成される。エッジストリップは２〜５ｃｍの幅を有することができるため、側面は、十分な安定性が確保される距離に互いに対して配置され、フォーム充填材が側面の間に設けられる。フォーム材料の使用によって、フォームフィンガーが低重量を有するだけであり、長期間の間でもキャリアによって容易に保持されることができることが保証される。エッジストリップの使用及び２つの側面の規定された距離によって、ここで、フォームフィンガーの好ましくは３次元の形状が達成される。
【０００８】
本考案の更なる開発において、その後に画像を有するレンチキュラーフォイルは、その後に紙繊維及び／または織物様支持層を貼り合わされる。支持層は、レンチキュラーフォイルの後側に適用された画像情報を損傷から保護するために役立つ。レンチキュラーフォイルの後側に適用された画像情報によってまた保護層によって、ひっかき傷等の外部損傷から保護されるサンドイッチ構造が形成され、支持層はレンチキュラーフォイルの寸法安定性を増加させる。支持層が、レンチキュラーフォイルのサイズ、及び側面と接続するためのエッジセクションとして使用される突出セクションのサイズより大きくなるように設計されることが容易に可能である。
【０００９】
更なる開発において、後に画像を有するレンチキュラーフォイルのエッジが境界付けされることが可能である。境界付けすることによって、レンチキュラーフォイルは、フォームフィンガーの表面全体にわたって、寸法安定性に関する明確な補強及び増加を受取る。ここで、レンチキュラーフォイルの境界付けされたエッジは、側面または周辺エッジストリップの接続エリア内で停止することができ、したがって、観察者にとって見えない。
【００１０】
代替法として、レンチキュラーフォイルが、側面上に接着される、アイロンがけされる、縫われる、または溶接されることが可能である。フォームフィンガーのこのタイプの製造は、安価に行われ、それにもかかわらず、フォームフィンガーが応力増加を受ける場合でも、側面上への十分な付着を保証することができる。
【００１１】
本考案の更なる開発において、フォームフィンガーは手のためのハンドルまたは開口を有する。フォームフィンガー内の、ハンドルによって、または、更によりよく、フルフィンガードグローブのように好ましくは具現化される開口によって、フォームフィンガーが手のひら全体及び指によって確実に保持されるように手を挿入することが可能である。好ましくは、フォームフィンガーは、軟質であるが、寸法安定性があるように具現化され、関わりのない第３者、特に隣にいる者の傷害が、こうして防止される。フォームフィンガーの重量によってキャリアに過剰の負担をかけないために、フォームフィンガーは、好ましくは極端に軽い重量を有する。
【００１２】
本考案の更なる開発において、フォームフィンガーは、「指（ｆｉｎｇｅｒ）」、伸ばされた親指、またはヴァルカンの手信号(Ｖｕｌｃａｎｓ’ｈａｎｄ  ｓｉｇｎａｌ)の手のひらの形状を有する。フォームフィンガーの述べた形状は、例示的な設計を示すだけであり、任意の数の他の設計によって、例えば同様にげんこつによってまたはクラブシンボルまたはクラブエンブレムの形状によって置換えられることができる。可能性はさまざまであり、それぞれの目的に適合されることができる。
【００１３】
本考案の特徴は、それ自体知られているフォームフィンガーが、レンチキュラーフォイルによって側面の少なくとも部分的エリアが覆われることによって光学強調を受けることである。もちろん、エリア全体がレンチキュラーフォイルによって覆われる、または、任意選択で、両方の側面が覆われることが可能である。フォームフィンガーの形状は、ここでは、その背後に画像を有するレンチキュラーフォイルのタイプと全く同じように任意に選択されることができる。そのレンチキュラーフォイルのタイプは、２次元と３次元の両方であるように設計され、例えば、有名なアスリート、クラブを称えるために、またはその他に、トーナメント中に個々のアスリートまたはチームを激励するために使用されることができる。例えば、イベント中に或る製品を提案するための、広告スペースのためにフォームフィンガーを使用することが更に可能である。
【００１４】
本考案は、図を参照して以下で再び更に説明される。
【図面の簡単な説明】
【００１５】
【図１】いっぱいに伸ばされた人さし指を有するフォームフィンガーの側面図である。
【図２】いっぱいに伸ばされた人さし指と薬指を有するフォームフィンガーを示す図である。
【考案を実施するための形態】
【００１６】
図１は、いっぱいに伸ばされた人さし指を有する手のひら２の形態を有するフォームフィンガー１の第１の実施形態を側面図で示す。前側面４にまた任意選択で後側面５に、レンチキュラーフォイル６が取付けられ、レンチキュラーフォイル６は、例えば、接着される、縫われる、または溶接されることができる。下方エッジ７において、手が挿入されることができる開口８が形成され、開口８は、指１０および親指１１を有する手のひら９の形態を有する。手が開口８に挿入される場合、フォームフィンガー１は、いっぱいに伸ばされた指１０およびいっぱいに伸ばされた親指１１によって確実に保持されることができ、重量が軽いため、キャリアはぐらつかないことになり、フォームフィンガー１は、種々の方向に同様に回転または揺動されることができる。
【００１７】
図２は、前側面２１および後側面２２を有する第２のフォームフィンガー２０を側面図で示す。前と後の両方の側面２１、２２は、この場合、レンチキュラーフォイル２３で覆われることができる。レンチキュラーフォイル２３は、下方に周辺エッジ２４まで形成されることができるが、レンチキュラーフォイル２３が側面２１または２２の部分的エリアを覆うだけであることが同様に可能である。実施形態の第１の変形の場合と全く同じように、周辺エッジ２４が、２つの側面２１と２２との間にフォームが挿入されるようにエッジストリップによって形成され、それが、次にフォームフィンガー２０の重量が極端に軽くなり、キャリアに対して負担をかけないようにすることが更に可能である。この実施形態は、手が挿入されることができる開口２５を同様に有し、開口は、いっぱいに伸ばされた指２６およびいっぱいに伸ばされた親指２７を有する手がフォームフィンガー２０に挿入されるように、個々の指２６および親指２７に対して拡大される。
【００１８】
実施形態の示す変形は、フォームフィンガー１または２０がどのように設計されることができるかの例を示す。この設計から逸脱する設計は容易に考えられるが、側面は、主にレンチキュラーフォイルによって少なくとも部分的に覆われ、レンチキュラーフォイルは、接着される、縫われる、または溶接される。
【符号の説明】
【００１９】
１  フォームフィンガー
２  手のひら
４  側面
５  側面
６  レンチキュラーフォイル
７  エッジ
８  開口
９  手のひら
１０  指
１１  親指
２０  フォームフィンガー
２１  側面
２２  側面
２３  レンチキュラーフォイル
２４  エッジ
２５  開口
２６  指
２７  親指
【図１】
0003225190.tif 000003
【図２】
0003225190.tif 000004
【手続補正書】
【提出日】令和1年12月4日(2019.12.4)
【手続補正１】
【補正対象書類名】実用新案登録請求の範囲
【補正対象項目名】全文
【補正方法】変更
【補正の内容】
【実用新案登録請求の範囲】
【請求項１】
手のひら拡大部、広告スペース、またはスポーツイベント中に携行されるものとしてのフォームフィンガー（１，２０）において、互いに接続された少なくとも２つの側面（４，５，２１，２２）を備える、フォームフィンガー（１，２０）であって、
前記側面（４，５，２１，２２）の少なくとも一部分は、印刷されたレンチキュラーフォイル及び／または背後に画像を貼り付けられたレンチキュラーフォイル（６，２３）を備えることを特徴とする、フォームフィンガー（１，２０）。
【請求項２】
少なくとも１つの前記側面（４，５，２１，２２）はレンチキュラーフォイル（６，２３）からなること、または、少なくとも１つの前記側面（４，５，２１，２２）上で、レンチキュラーフォイル（６，２３）は固定されることを特徴とする、請求項１に記載のフォームフィンガー（１，２０）。
【請求項３】
前記側面（４，５，２１，２２）は、材料ボンド及び／またはフォームフィットによって互いに接続されることを特徴とする、請求項１または２に記載のフォームフィンガー（１，２０）。
【請求項４】
前記２つの側面（４，５，２１，２２）は、互いに、直接接着される、縫われる、または溶接されることを特徴とする、請求項１、２、または３に記載のフォームフィンガー（１，２０）。
【請求項５】
前記２つの側面（４，５，２１，２２）は、エッジストリップによって境界付けされることを特徴とする、請求項１から４のいずれか１項に記載のフォームフィンガー（１，２０）。
【請求項６】
前記エッジストリップによって、前記２つの側面（４，５，２１，２２）は、規定された距離に保持され、３次元形態をもたらすことを特徴とする、請求項５に記載のフォームフィンガー（１，２０）。
【請求項７】
背後に画像を有する前記レンチキュラーフォイル（６，２３）は、前記レンチキュラーフォイル（６，２３）の後で、紙繊維及び／または織物様支持層を貼り合わされることを特徴とする、請求項１から６のいずれか１項に記載のフォームフィンガー（１，２０）。
【請求項８】
背後に画像を有する前記レンチキュラーフォイル（６，２３）のエッジは境界付けされることを特徴とする、請求項１から７のいずれか１項に記載のフォームフィンガー（１，２０）。
【請求項９】
前記レンチキュラーフォイル（６，２３）は、前記側面（４，５，２１，２２）上に接着される、アイロンがけされる、縫われる、または溶接されることを特徴とする、請求項１から８のいずれか１項に記載のフォームフィンガー（１，２０）。
【請求項１０】
手のためのハンドルまたは開口（８，２５）を備えることを特徴とする、請求項１から９のいずれか１項に記載のフォームフィンガー（１，２０）。
【請求項１１】
前記開口（８，２５）は、フルフィンガードグローブと同様に具現化されることを特徴とする、請求項１０に記載のフォームフィンガー（１，２０）。
【請求項１２】
軟質であるが、寸法安定性があるように具現化されることを特徴とする、請求項１から１１のいずれか１項に記載のフォームフィンガー（１，２０）。
【請求項１３】
低重量を有することを特徴とする、請求項１から１２のいずれか１項に記載のフォームフィンガー（１，２０）。
【請求項１４】
「指」、いっぱいに伸ばされた親指（１１，２７）、またはヴァルカンの挨拶の手の形状を有することを特徴とする、請求項１から１３のいずれか１項に記載のフォームフィンガー（１，２０）。
【請求項１５】
クラブシンボルまたはクラブエンブレムの形態を有することを特徴とする、請求項１から１４のいずれか１項に記載のフォームフィンガー（１，２０）。